(57)【要約】【課題】  高品位な音声を再生する。【解決手段】  出力スピーカ選択部２２４は、着座センサ１６０から送られてきた位置検出信号ＰＯＤとドライブ処理部２１０から送られてきたコンテンツ種別情報ＣＴＩに基づいて、聴取位置及び聴取姿勢を算出し、さらに、車両内に配設された複数のスピーカの中から理想的なスピーカ配置による音像に近い音像を形成することができるように音声出力スピーカを選択する。聴取位置、聴取姿勢及び音声出力スピーカは、決定情報ＳＰＤとして、オーディオ制御部２２５へ向けて送られる。そしてオーディオ制御部２２５は、決定情報ＳＰＤをもとにして、チャンネル処理部２２１と音量調整部２２３を制御する。こうしてオーディオ制御部２２５による制御のもとで調整された音声信号が、音声出力スピーカから音場空間へ向けて出力される。【選択図】  図６
2008227942.tif 000002
【特許請求の範囲】
【請求項１】
複数種のチャンネル音声を含む音声コンテンツを再生し、音場空間に配置された複数のスピーカから音声を出力するコンテンツ再生装置であって、
前記音場空間における聴取位置及び聴取姿勢の推定結果である推定位置及び推定姿勢に基づいて、前記複数のスピーカのうちから、音声出力を行う少なくとも２つの音声出力スピーカを選択する選択手段と；
前記音声出力スピーカのそれぞれからの音声出力タイミング及び出力音量を調整する調整手段と；
を備えることを特徴とするコンテンツ再生装置。
【請求項２】
前記音声コンテンツを含むコンテンツが更に含む映像コンテンツの再生映像を表示する表示手段を更に備え、
前記推定姿勢は、前記推定位置から前記表示手段の表示画面を見る姿勢である、
ことを特徴とする請求項１に記載のコンテンツ再生装置。
【請求項３】
前記推定位置及び前記推定姿勢を求める推定手段を更に備える、ことを特徴とする請求項１又は２に記載のコンテンツ再生装置。
【請求項４】
前記推定手段は、
前記聴取位置を検出する検出手段と；
前記検出手段による検出結果に基づいて、前記推定位置及び前記推定姿勢を算出する推定算出手段と；
を備えることを特徴とする請求項３に記載のコンテンツ再生装置。
【請求項５】
指定情報が入力される操作入力手段を更に備え、
前記推定手段は、前記操作入力手段に入力された前記聴取位置の情報に基づいて、前記推定位置及び前記推定姿勢を推定する、
ことを特徴とする請求項３に記載のコンテンツ再生装置。
【請求項６】
前記選択手段は、
前記推定位置及び前記推定姿勢に基づいて、前記複数種のチャンネル音声の再生音声ごとの音像方向として適切な方向を算出する方向算出手段と；
前記方向算出手段による算出結果、及び、前記複数のスピーカのそれぞれの配設位置に基づいて、前記音声出力スピーカを決定する決定手段と；
を備えることを特徴とする請求項１〜５のいずれか一項に記載のコンテンツ再生装置。
【請求項７】
前記音声コンテンツに基づき、前記複数種のチャンネルごとの個別チャンネル信号を生成する個別チャンネル信号生成手段を更に備え、
前記調整手段は、
前記音声出力スピーカのそれぞれの配設位置及び前記推定位置に基づいて、前記音声出力スピーカのそれぞれに供給される個別チャンネル信号を遅延させる遅延調整手段と；
前記音声出力スピーカのそれぞれの配設位置、前記推定位置及び前記推定姿勢に基づいて、前記音声出力スピーカのそれぞれからの出力音量を調整する音量調整手段とを備える、
ことを特徴とする請求項１〜６のいずれか一項に記載のコンテンツ再生装置。
【請求項８】
移動体に搭載される、ことを特徴とする請求項１〜７のいずれか一項に記載のコンテンツ再生装置。
【請求項９】
複数種のチャンネル音声を含む音声コンテンツを再生し、音場空間に配置された複数のスピーカから音声を出力するコンテンツ再生方法であって、
前記音場空間における聴取位置及び聴取姿勢の推定結果である推定位置及び推定姿勢に基づいて、前記複数のスピーカのうちから、音声出力を行う少なくとも２つの音声出力スピーカを選択する選択工程と；
前記音声出力スピーカのそれぞれからの音声出力タイミング及び出力音量を調整する調整工程と；
を備えることを特徴とするコンテンツ再生方法。
【発明の詳細な説明】
【技術分野】
【０００１】
本発明は、コンテンツ再生装置及びコンテンツ再生方法に関する。
【背景技術】
【０００２】
近年におけるＤＶＤ（Digital Versatile Disk）等の記録媒体の技術進展に伴い、複数のスピーカを有するマルチチャンネルサラウンド方式のコンテンツ再生装置が普及してきている。こうしたコンテンツ再生装置を利用することで、映画館におけるのと同様の臨場感溢れるサラウンド音声の再生を、家庭内空間や車両内空間においても行うことができるようになってきている。
【０００３】
このように、家庭内空間や車両内空間においてもサラウンド音声を楽しむ場合、空間的制約から、複数のスピーカの配置位置も制約される。例えば、車両内空間に５．１チャンネルサラウンド方式で音場を設定するためには、一般的に図１に示されるスピーカ配置が採用されている。すなわち、車両内空間の中心から見て、前方方向にセンタスピーカが配置され、後方方向にサブウーハスピーカが配置される。また、車両内空間の中心から見て、斜め左前方方向にレフトスピーカが配置され、斜め右前方方向にライトスピーカが配置される。さらに、車両内空間の中心から見て、斜め左後方方向にサラウンドレフトスピーカが配置され、斜め右後方方向にサラウンドライトスピーカが配置される。
【０００４】
しかしながら、車両内空間における聴取者の聴取姿勢は様々であり、固定されたスピーカから固定された音声チャンネルしか出力できないとするならば、臨場感溢れるサラウンド音声を再生することは困難となる。このため、例えば、映像を表示する表示画面が後方に配置され、当該表示画面を見るために聴取者が後方を向いている場合に、各スピーカから出力されるチャンネル音声を切り換える技術がある（特許文献１参照：以下、「従来例」という）。
【０００５】
【特許文献１】特開２００４−２９７４４７号公報
【発明の開示】
【発明が解決しようとする課題】
【０００６】
ところで、マルチチャンネルサラウンド方式を採用する場合に、推奨されるスピーカ配置がＩＴＵ（国際電気通信連合）−Ｒ勧告のＢＳ．７７５−１規格（以下、単に「ＩＴＵ規格」という）で定められている。この規格によれば、例えば、５．１チャンネルサラウンド方式では、図２に示される通りであり、聴取者の前方方向にセンタスピーカが配置されるとともに、レフトスピーカ及びライトスピーカが、斜め左右前方の対称的な方向に配置されることが推奨されている。さらに、サラウンドレフトスピーカ及びサラウンドライトスピーカは、斜め左右後方の対称的な方向に配置されることが推奨されている。なお、サブウーハスピーカの配置位置については、ＩＴＵ規格に明確に規定されていない。
【０００７】
しかしながら、例えば車両内空間においては、聴取者の着座位置である聴取位置としては運転席や助手席が代表的であり、車両内空間の中心位置からは、前後方向にも左右方向にもずれていることが多い。このため、上述した一般的に採用されているスピーカ配置では、聴取者にとって、ＩＴＵ規格が推奨するスピーカ配置による音場を設定することができない場合が多かった。かかる事態は、上述した従来例のように、各スピーカから出力されるチャンネル音声を切り換えることによっても解消されるものでもない。
【０００８】
このため、マルチチャンネルサラウンド方式を採用した場合には、車両内空間においてもＩＴＵ規格に近づけた音場の設定を可能とする技術が切望されている。かかる要請に応えることが、本発明が解決するべき課題の一つとして挙げられる。
【０００９】
本発明は、上記の事情を鑑みてなされたものであり、高品位な音声を聴取者に提供することができるコンテンツ再生装置及びコンテンツ再生方法を提供することを目的とする。
【課題を解決するための手段】
【００１０】
請求項１に記載の発明は、複数種のチャンネル音声を含む音声コンテンツを再生し、音場空間に配置された複数のスピーカから音声を出力するコンテンツ再生装置であって、前記音場空間における聴取位置及び聴取姿勢の推定結果である推定位置及び推定姿勢に基づいて、前記複数のスピーカのうちから、音声出力を行う少なくとも２つの音声出力スピーカを選択する選択手段と；前記音声出力スピーカのそれぞれからの音声出力タイミング及び出力音量を調整する調整手段と；を備えることを特徴とするコンテンツ再生装置である。
【００１１】
請求項９に記載の発明は、複数種のチャンネル音声を含む音声コンテンツを再生し、音場空間に配置された複数のスピーカから音声を出力するコンテンツ再生方法であって、前記音場空間における聴取位置及び聴取姿勢の推定結果である推定位置及び推定姿勢に基づいて、前記複数のスピーカのうちから、音声出力を行う少なくとも２つの音声出力スピーカを選択する選択工程と；前記音声出力スピーカのそれぞれからの音声出力タイミング及び出力音量を調整する調整工程と；を備えることを特徴とするコンテンツ再生方法である。
【発明を実施するための最良の形態】
【００１２】
以下、本発明の一実施形態を、図３〜図１９を参照して説明する。なお、以下の説明及び図面においては、同一又は同等の要素には同一の符号を付し、重複する説明を省略する。
【００１３】
［構成］
図３には、本実施形態に係るコンテンツ再生装置１００の概略的な構成がブロック図にて示されている。なお、以下の説明においては、コンテンツ再生装置１００は、車両ＣＲ（図４参照）に搭載される装置であるものとする。
【００１４】
図３に示されるように、コンテンツ再生装置１００は、制御ユニット１１０と、ドライブユニット１２０と、スピーカ１３０C〜１３０SWとを備えている。また、コンテンツ再生装置１００は、表示手段としての表示ユニット１４０と、操作入力手段としての操作入力ユニット１５０と、検出手段としての着座センサ１６０とを備えている。
【００１５】
なお、上記の制御ユニット１１０以外の要素１２０〜１６０は、制御ユニット１１０に接続されている。
【００１６】
制御ユニット１１０は、コンテンツ再生装置１００の全体を統括制御する。この制御ユニット１１０の詳細については、後述する。
【００１７】
ドライブユニット１２０は、制御ユニット１１０の後述するドライブ処理部２１０から、データ読出指令を受けた場合には、装填されたＤＶＤやＣＤ（Compact Disk）等のコンテンツメディアＣＭＤに記録されたコンテンツのデータ等を読み取って、読取データ信号ＲＤＤとして、ドライブ処理部２１０へ向けて送る。なお、コンテンツメディアＣＭＤに記録されるコンテンツの種別としては、音声コンテンツ、映像コンテンツ、及び、音声コンテンツと映像コンテンツとを組み合せた複合コンテンツがある。
【００１８】
なお、コンテンツメディアＣＭＤには、音声コンテンツが、マルチチャンネルサラウンド方式の一つである５．１チャンネルサラウンド方式で記録されているものとする。かかる５．１チャンネルサラウンド方式では、音声チャンネルとして、センタチャンネル（以下、「Ｃチャンネル」とも記す）、レフトチャンネル（以下、「Ｌチャンネル」とも記す）、ライトチャンネル（以下、「Ｒチャンネル」とも記す）、サラウンドレフトチャンネル（以下、「ＳＬチャンネル」とも記す）、サラウンドライトチャンネル（以下、「ＳＲチャンネル」とも記す）、低域効果音チャンネル（以下、「ＬＦＥ（Low Frequency Effect）チャンネル」とも記す）が用意されている。
【００１９】
また、コンテンツメディアＣＭＤには、映像コンテンツがＭＰＥＧ形式でコード化されて記録される。
【００２０】
本実施形態では、スピーカ１３０C〜１３０SWは、１３０C, １３０L1, １３０L2, １３０L3, １３０SL1, １３０SL2, １３０R1, １３０R2, １３０R3, １３０SR1, １３０SR2, １３０SWの合計１２個のスピーカからなる。
【００２１】
ここで、スピーカ１３０CはＣチャンネルの音声を出力するためのセンタスピーカである。スピーカ１３０L1は、Ｌチャンネルの音声を出力するためのレフトスピーカであり、スピーカ１３０L2は、Ｌチャンネルの音声を出力するための補助レフトスピーカである。スピーカ１３０L3は、原則としてＬチャンネルの音声を出力するための補助レフトスピーカであるが、後述するようにＳＬチャンネルの音声を出力するためにも使用される場合がある。また、スピーカ１３０SL1は、ＳＬチャンネルの音声を出力するためのサラウンドレフトスピーカであり、スピーカ１３０SL2は、ＳＬチャンネルの音声を出力する補助サラウンドレフトスピーカである。
【００２２】
スピーカ１３０R1は、Ｒチャンネルの音声を出力するためのライトスピーカであり、スピーカ１３０R2は、Ｒチャンネルの音声を出力するための補助ライトスピーカである。スピーカ１３０R3は、原則としてＲチャンネルの音声を出力するための補助ライトスピーカであるが、後述するようにＳＲチャンネルの音声を出力するためにも使用される場合がある。また、スピーカ１３０SR1は、ＳＲチャンネルの音声を出力するためのサラウンドライトスピーカであり、スピーカ１３０SR2は、ＳＲチャンネルの音声を出力するための補助サラウンドライトスピーカである。
【００２３】
スピーカ１３０SWは、ＬＦＥチャンネルの音声を出力するためのサブウーハスピーカである。
【００２４】
これらのスピーカ１３０C〜１３０SWは、制御ユニット１１０による制御のもとで、案内用音声、音楽等を再生して出力する。
【００２５】
本実施形態では、図４に示されるように、センタスピーカ１３０Cは、車両ＣＲの車内空間である音場空間ＡＳＰの前方中央部のダッシュボード内に配置される。このセンタスピーカ１３０Cは、後方を向くように配設されている。
【００２６】
レフトスピーカ１３０L1は、助手席側の前方ドア筐体内に配置されている。このレフトスピーカ１３０L1は、助手席側を向くように配設されている。補助レフトスピーカ１３０L2は、前方助手席側のダッシュボード内に配置されている。この補助レフトスピーカ１３０L2は、助手席を向くように配設されている。補助レフトスピーカ１３０L3は、助手席側の前方ドア筐体内に配置され、レフトスピーカ１３０L1のやや後方に位置している。この補助レフトスピーカ１３０L3は、助手席側を向くように配設されている。
【００２７】
サラウンドレフトスピーカ１３０SL1は、助手席側後部の筐体内に配置されている。このサラウンドレフトスピーカ１３０SL1は、助手席側の後部座席を向くように配設されている。補助サラウンドレフトスピーカ１３０SL2は、音場空間ＡＳＰの後部の助手席側に配置されている。この補助サラウンドレフトスピーカ１３０SL2は、運転席を向くように配設されている。
【００２８】
ライトスピーカ１３０R1は、運転席側の前方ドア筐体内に配置されている。このライトスピーカ１３０R1は、運転席側を向くように配設されている。補助ライトスピーカ１３０R2は、前方運転席側のダッシュボード内に配置されている。この補助ライトスピーカ１３０R2は、運転席を向くように配設されている。補助ライトスピーカ１３０R3は、運転席側の前方ドア筐体内に配置され、ライトスピーカ１３０R1のやや後方に位置している。この補助ライトスピーカ１３０R3は、運転席側を向くように配設されている。
【００２９】
サラウンドライトスピーカ１３０SR1は、運転席側後部の筐体内に配置されている。このサラウンドライトスピーカ１３０SR1は、運転席側の後部座席を向くように配設されている。補助サラウンドライトスピーカ１３０SR2は、音場空間ＡＳＰの後部の運転席側に配置されている。この補助サラウンドライトスピーカ１３０SR2は、助手席を向くように配設されている。
【００３０】
サブウーハスピーカ１３０SWは、音場空間ＡＳＰの後部に配置される。このサブウーハスピーカ１３０SWは、前方を向くように配設されている。
【００３１】
このように、本実施形態における車両ＣＲ内のスピーカ配置は、図１に示した車両内における一般的なスピーカ配置と比較して、補助レフトスピーカ１３０L2，１３０L3、補助サラウンドレフトスピーカ１３０SL2、補助ライトスピーカ１３０R2，１３０R3、補助サラウンドライトスピーカ１３０SR2の合計６個のスピーカが増設されている。
【００３２】
このうち、補助サラウンドレフトスピーカ１３０SL2と補助ライトスピーカ１３０R2は、運転席を向くように配設されている。また、補助レフトスピーカ１３０L2と補助サラウンドライトスピーカ１３０SR2は、助手席を向くように配設されている。
【００３３】
図３に戻り、表示ユニット１４０は、（ｉ）液晶表示パネル、有機ＥＬ（Electro Luminescence）パネル、ＰＤＰ（Plasma Display Panel）等の表示デバイス１４１と、（ii）制御ユニット１１０から送出された表示制御データに基づいて、表示ユニット１４０全体の制御を行うグラフィックレンダラ等の表示コントローラと、（iii）表示画像データを記憶する表示画像メモリ等を備えて構成されている。ここで、表示デバイス１４１は、音場空間ＡＳＰにおける前方中央部のセンタスピーカ１３０Cの周辺に配置されている（図４参照）。この表示ユニット１４０は、制御ユニット１１０による制御のもとで、コンテンツ画像や操作ガイダンス情報等を表示する。
【００３４】
操作入力ユニット１５０は、コンテンツ再生装置１００の本体部に設けられたキー部、あるいはキー部を備えるリモート入力装置等により構成される。ここで、本体部に設けられたキー部としては、表示ユニット１４０の表示デバイスに設けられたタッチパネルを用いることができる。なお、キー部を有する構成に代えて、音声入力する構成を採用することもできる。
【００３５】
この操作入力ユニット１５０を利用者が操作することにより、コンテンツ再生装置１００の動作内容の設定が行われる。例えば、再生コンテンツの設定、コンテンツの検索設定等を、利用者が操作入力ユニット１５０を利用して行う。こうした入力内容は、操作入力ユニット１５０から制御ユニット１１０へ送られる。
【００３６】
着座センサ１６０は、車両ＣＲにおける搭乗者の着座位置を検出する。この着座センサによる検出結果である位置検出信号ＰＯＤは、制御ユニット１１０の後述する音声処理部２２０へ向けて送られる。
【００３７】
制御ユニット１１０は、上述のように、コンテンツ再生装置１００の全体を統括制御する。この制御ユニット１１０は、図５に示されるように、ドライブ処理部２１０と、音声処理部２２０と、映像処理部２３０とを備えている。
【００３８】
ドライブ処理部２１０は、操作入力ユニット１５０から報告された利用者による指令入力ＩＰＤに従って、ドライブユニット１２０に対してデータ読取指令を発行し、ドライブユニット１２０から送られてきた読取データ信号ＲＤＤに含まれる音声データ成分と映像データ成分とを分離する。こうして分離された音声データ成分が音声データ信号ＡＤＤとして音声処理部２２０へ向けて送られるとともに、分離された映像データ成分が映像データ信号ＩＤＤとして映像処理部２３０へ向けて送られる。
【００３９】
また、ドライブ処理部２１０は、読取データ信号ＲＤＤに含まれる再生対象コンテンツの種別の情報を解析し、再生対象コンテンツが、音声コンテンツのみであるのか、音声コンテンツ及び映像コンテンツであるかというコンテンツの種別を、コンテンツ種別情報ＣＴＩとして、音声処理部２２０の後述する出力スピーカ選択部２２４へ向けて送る。なお、コンテンツメディアに記録されたコンテンツが映像コンテンツのみである場合には、ドライブ処理部２１０は、コンテンツ種別情報ＣＴＩの音声処理部２２０への送信は行わないようになっている。
【００４０】
音声処理部２２０は、ドライブ処理部２１０からの音声データ信号ＡＤＤ及びコンテンツ種別情報ＣＴＩに基づいて、スピーカ１３０C〜１３０SWからの音声の再生出力のための処理を行う。この音声処理部２２０は、図６に示されるように、オーディオ制御部２２５と、出力スピーカ選択部２２４とを備えている。また、音声処理部２２０は、チャンネル処理部２２１と、アナログ変換部２２２と、音量調整手段としての音量調整部２２３とを備えている。
【００４１】
オーディオ制御部２２５は、出力スピーカ選択部２２４からの後述する決定情報ＳＰＤを受け取ると、この決定情報ＳＰＤをもとにして、チャンネル処理部２２１と音量調整部２２３を制御する。かかる制御には、チャンネル処理部２２１に対するチャンネル処理制御指令ＣＰＣ（より詳しくは、チャンネル処理部２２１の後述するチャンネル分離部３１０に対するチャンネル分離制御指令ＣＳＣ、後述する信号分配部３２０に対する分配制御指令ＡＣＣ、及び、後述する信号遅延部３３０に対する遅延制御指令ＤＬＣ（図９参照））、並びに音量調整部２２３に対する音量調整制御指令ＶＬＣが含まれている。
【００４２】
なお、オーディオ制御部２２５には、不図示の記憶部が備えられており、この記憶部には、音声処理部２２０における音声コンテンツのデータ処理に必要な情報が記憶されている。かかる情報には、車両ＣＲにおける搭乗者の聴取位置及び聴取姿勢に応じた、各スピーカ１３０C〜１３０SWから出力する音声の遅延時間、音量補正値が含まれている。
【００４３】
出力スピーカ選択部２２４は、車両ＣＲにおける搭乗者の聴取位置及び聴取姿勢に基づいて、スピーカ１３０C〜１３０SWの中から、音声出力を行う音声出力スピーカを選択する。この出力スピーカ選択部２２４は、図７に示されるように、推定算出手段としての聴取姿勢算出部２２６と、方向算出手段としての音像方向算出部２２７と、決定手段としての音声出力スピーカ決定部２２８とを備えている。
【００４４】
聴取姿勢算出部２２６は、着座センサ１６０からの位置検出信号ＰＯＤと、ドライブ処理部２１０からのコンテンツ種別情報ＣＴＩに基づいて、聴取姿勢を算出する。例えば、位置検出信号ＰＯＤが「運転席」、コンテンツ種別情報ＣＴＩが「複合コンテンツ」の場合には、図８に示されるように、搭乗者が運転席から表示デバイス１４１を見るＤ１方向を向く姿勢が聴取姿勢として算出される。また、位置検出信号ＰＯＤが「運転席」、コンテンツ種別情報ＣＴＩが「音声コンテンツ」の場合には、搭乗者が運転席から正面であるＤ２方向を向く姿勢が聴取姿勢として算出される。この聴取姿勢算出部２２６による算出結果である位置姿勢情報ＰＤＤは、音像方向算出部２２７へ向けて送られる。
【００４５】
図７に戻り、音像方向算出部２２７は、聴取姿勢算出部２２６からの位置姿勢情報ＰＤＤに基づいて、５．１チャンネルサラウンド方式におけるＩＴＵ規格に基づいた理想的なスピーカ配置による音像方向を算出する。この音像方向算出部２２７による算出結果である音像方向情報ＡＤＤは、音声出力スピーカ決定部２２８へ向けて送られる。
【００４６】
音声出力スピーカ決定部２２８は、音像方向算出部２２７からの音像方向情報ＡＤＤに基づいて、車両ＣＲに搭載された１２個のスピーカ１３０C〜１３０SWの中から、音声出力を行う音声出力スピーカを決定する。この音声出力スピーカ決定部２２８による決定結果である決定情報ＳＰＤは、オーディオ制御部２２５へ向けて送られる。
【００４７】
図６に戻り、チャンネル処理部２２１は、オーディオ制御部２２５からのチャンネル処理制御指令ＣＰＣに従って、ドライブ処理部２１０から送られてきた音声データ信号ＡＤＤを、５．１チャンネルサラウンド方式に基づいて、６個の個別チャンネル信号に分離するとともに、スピーカ１３０C〜１３０SWの数に対応した１２個のチャンネルデータ信号ＰＣＤC〜ＰＣＤLFEを生成する。このようにして生成したチャンネルデータ信号ＰＣＤC〜ＰＣＤLFEは、アナログ変換部２２２へ向けて出力される。なお、チャンネル処理制御指令ＣＰＣは、上述したように、チャンネル分離制御指令ＣＳＣと、分配制御指令ＡＣＣと、遅延制御指令ＤＬＣとから構成されている。
【００４８】
かかる機能を有するチャンネル処理部２２１は、図９に示されるように、個別チャンネル信号生成手段としてのチャンネル分離部３１０と、信号分配部３２０と、遅延調整手段としての信号遅延部３３０とを備えている。
【００４９】
チャンネル分離部３１０は、オーディオ制御部２２５からのチャンネル処理制御指令ＣＰＣの一部であるチャンネル分離制御指令ＣＳＣに従って、音声データ信号ＡＤＤから、５．１チャンネルサラウンド方式におけるＣ〜ＬＦＥチャンネルに対応する６個の分離チャンネルデータ信号ＳＣＤC，ＳＣＤL，ＳＣＤSL，ＳＣＤR，ＳＣＤSR，ＳＣＤLFEを生成する。これらの分離チャンネルデータ信号ＳＣＤC〜ＳＣＤLFEは、信号分配部３２０へ向けて出力される。
【００５０】
信号分配部３２０は、オーディオ制御部２２５からのチャンネル処理制御指令ＣＰＣの一部である分配制御指令ＡＣＣに従って、チャンネル分離部３１０から送られてきた６個の分離チャンネルデータ信号ＳＣＤC〜ＳＣＤLFEを分配し、無信号を含めて、スピーカ１３０C〜１３０SWの数と同じ１２個の分配チャンネルデータ信号ＡＣＤC，ＡＣＤL1，ＡＣＤL2，ＡＣＤL3，ＡＣＤSL1，ＡＣＤSL2，ＡＣＤR1，ＡＣＤR2，ＡＣＤR3，ＡＣＤSR1，ＡＣＤSR2，ＡＣＤLFEを生成する。そして、この分配チャンネルデータ信号ＡＣＤC〜ＡＣＤLFEは、信号遅延部３３０へ向けて出力される。
【００５１】
なお、本実施形態では、分配制御指令ＡＣＣは、ＬチャンネルとＳＬチャンネルに対する分配制御指令ＡＣＣLと、ＲチャンネルとＳＲチャンネルに対する分配制御指令ＡＣＣRを含んでいる（図１０参照）。そして、分配制御指令ＡＣＣLは、Ｌチャンネルに関する３個の個別分配制御指令ＡＣＣL1〜ＡＣＣL3と、ＳＬチャンネルに関する３個の個別分配制御指令ＡＣＣSL1〜ＡＣＣSL3とを含んでいる（図１１参照）。また、分配制御指令ＡＣＣRは、Ｒチャンネルに関する３個の個別分配制御指令ＡＣＣR1〜ＡＣＣR3と、ＳＲチャンネルに関する３個の個別分配制御指令ＡＣＣSR1〜ＡＣＣSR3とを含んでいる（図１３参照）。
【００５２】
信号分配部３２０は、図１０に示されるように、レフトサイド分配部３２１と、ライトサイド分配部３２２とを備えている。なお、分離チャンネルデータ信号ＳＣＤCに関しては、信号分配部３２０では処理を行わず、分配チャンネルデータ信号ＡＣＤCとして、そのまま、信号遅延部３３０へ向けて出力される。また、分離チャンネルデータ信号ＳＣＤLFEについても、分離チャンネルデータ信号ＳＣＤCと同様に、信号分配部３２０では処理を行わず、分配チャンネルデータ信号ＡＣＤLFEとして、そのまま、信号遅延部３３０へ向けて出力される。
【００５３】
レフトサイド分配部３２１は、ＬチャンネルとＳＬチャンネルに関する分配処理を行う。このレフトサイド分配部３２１は、図１１に示されるように、スイッチ素子３２３L1，３２３L2，３２３SL1，３２３SL2と、複合スイッチ部３２４Lとを備えている。このうち、スイッチ素子３２３L1，３２３L2は、分離チャンネルデータ信号ＳＣＤLに基づいて分配チャンネルデータ信号ＡＣＤL1，ＡＣＤL2を生成するためのものである。また、スイッチ素子３２３SL1，３２３SL2は、分離チャンネルデータ信号ＳＣＤSLに基づいて分配チャンネルデータ信号ＡＣＤSL1，ＡＣＤSL2を生成するためのものである。
【００５４】
各スイッチ素子は、それぞれ２つの端子を有しており、一方はチャンネル分離部３１０に接続されており、他方は信号遅延部３３０に接続されている。そして、スイッチ素子３２３L1，３２３L2，３２３SL1，３２３SL2のＯＮ／ＯＦＦの動作は、それぞれに対応する個別分配制御指令ＡＣＣL1，ＡＣＣL2，ＡＣＣSL1，ＡＣＣSL2に従って行われる。
【００５５】
複合スイッチ部３２４Lは、分離チャンネルデータ信号ＳＣＤLと分離チャンネルデータ信号ＳＣＤSLに基づいて、分配チャンネルデータ信号ＡＣＤL3を生成するためのものである。この複合スイッチ部３２４Lは、図１２に示されるように、スイッチ素子３２３L3，３２３SL3と、混合器３２５L3とを備えている。
【００５６】
スイッチ素子３２３L3，３２３SL3は、それぞれ２つの端子を有しており、一方はチャンネル分離部３１０に接続されており、他方は信号遅延部３３０に接続されている。そして、スイッチ素子３２３L3，３２３SL3のＯＮ／ＯＦＦの動作は、それぞれに対応する個別分配制御指令ＡＣＣL3，ＡＣＣSL3に従って行われる。混合器３２５L3は、スイッチ素子３２３L3，３２３SL3から送られてきた２個の信号を混合して、分配チャンネルデータ信号ＡＣＤL3を生成する。
【００５７】
ライトサイド分配部３２２は、ＲチャンネルとＳＲチャンネルに関する分配処理を行う。このライトサイド分配部３２２は、図１３に示されるように、スイッチ素子３２３R1，３２３R2，３２３SR1，３２３SR2と、複合スイッチ部３２４Rとを備えている。このうち、スイッチ素子３２３R1，３２３R2は、分離チャンネルデータ信号ＳＣＤRに基づいて分配チャンネルデータ信号ＡＣＤR1，ＡＣＤR2を生成するためのものである。また、スイッチ素子３２３SR1，３２３SR2は、分離チャンネルデータ信号ＳＣＤSRに基づいて分配チャンネルデータ信号ＡＣＤSR1，ＡＣＤSR2を生成するためのものである。
【００５８】
各スイッチ素子の構成は、レフトサイド分配部３２１における各スイッチ素子の構成と同様である。そして、スイッチ素子３２３R1，３２３R2，３２３SR1，３２３SR2のＯＮ／ＯＦＦの動作は、それぞれに対応する個別分配制御指令ＡＣＣR1，ＡＣＣR2，ＡＣＣSR1，ＡＣＣSR2に従って行われる。
【００５９】
複合スイッチ部３２４Rは、分離チャンネルデータ信号ＳＣＤRと分離チャンネルデータ信号ＳＣＤSRに基づいて、分配チャンネルデータ信号ＡＣＤR3を生成するためのものである。この複合スイッチ部３２４Rは、図１４に示されるように、スイッチ素子３２３R3，３２３SR3と、混合器３２５R3とを備えている。
【００６０】
スイッチ素子３２３R3，３２３SR3の構成は、他のスイッチ素子と同様である。そして、スイッチ素子３２３R3，３２３SR3のＯＮ／ＯＦＦの動作は、それぞれに対応する個別分配制御指令ＡＣＣR3，ＡＣＣSR3に従って行われる。また、混合器３２５R3は、スイッチ素子３２３R3，３２３SR3から送られてきた２個の信号を混合して、分配チャンネルデータ信号ＡＣＤR3を生成する。
【００６１】
図９に戻り、信号遅延部３３０は、オーディオ制御部２２５からのチャンネル処理制御指令ＣＰＣの一部である遅延制御指令ＤＬＣに従って、信号分配部３２０から送られてきた分配チャンネルデータ信号ＡＣＤC〜ＡＣＤLFEを、それぞれ所定時間だけ遅延させて、チャンネルデータ信号ＰＣＤC〜ＰＣＤLFEを生成する。このようにして、信号遅延部３３０で生成したチャンネルデータ信号ＰＣＤC〜ＰＣＤLFEは、アナログ変換部２２２へ向けて出力される。
【００６２】
この信号遅延部３３０は、図１５に示されるように、１２個のスピーカ１３０C〜１３０SWに対応して、１２個の遅延器３３１C〜３３１LFEを備えている。各遅延器３３１C〜３３１LFEは、オーディオ制御部２２５による個別遅延制御指令ＤＬＣC〜ＤＬＣLFEに従って、信号分配部３２０による分配が完了した分配チャンネルデータ信号ＡＣＤC〜ＡＣＤLFEを、時間ＤＬC〜ＤＬLFEだけ遅延させる。
【００６３】
図６に戻り、アナログ変換部２２２は、チャンネル処理部２２１からのデジタル信号であるチャンネルデータ信号ＰＣＤC〜ＰＣＤLFEを、それぞれアナログ信号に変換する。このアナログ変換部２２２は、当該１２種のデジタルデータ信号に対応して、互いに同様に構成された１２個のＤＡ（Digital to Analogue）変換器を備えている。このアナログ変換部２２２によるアナログ変換結果であるアナログ信号ＰＢＳC〜ＰＢＳLFEは、音量調整部２２３へ向けて出力される。
【００６４】
音量調整部２２３は、オーディオ制御部２２５からの音量調整制御指令ＶＬＣに従って、アナログ変換部２２２から送られてきたアナログ信号ＰＢＳC〜ＰＢＳLFEの音量を調整する。この音量調整部２２３は、スピーカ１３０C〜１３０SWの数に対応して、互いに同様に構成された１２個の増幅器を備え、アナログ信号のレベルを調整する。この調整の結果は、出力音声信号ＡＯＳC〜ＡＯＳLFEとしてスピーカ１３０C〜１３０SWへ向けて出力される。
【００６５】
図５に戻り、映像処理部２３０は、ＭＰＥＧ方式等によりコード化されている映像データ信号ＩＤＤをデコードして、出力映像データ信号ＤＭＤを生成する。生成された出力映像データ信号ＤＭＤは、表示ユニット１４０へ送られる。
【００６６】
［動作］
次に、上記のように構成されたコンテンツ再生装置１００の動作について、主に、出力スピーカ選択部２２４による音声出力スピーカの選択方法と、オーディオ制御部２２５による音声コンテンツデータの処理動作に着目して説明する。
【００６７】
前提として、車両ＣＲに搭乗しているのは１人だけであるとし、その１人は「運転席」に着座しているものとする。また、再生対象コンテンツは、「複合コンテンツ」であるものとする。
【００６８】
《出力スピーカ選択部２２４における動作》
出力スピーカ選択部２２４では、聴取姿勢算出部２２６が、着座センサ１６０から送られてきた位置検出信号ＰＯＤと、ドライブ処理部２１０から送られてきたコンテンツ種別情報ＣＴＩに基づいて、聴取姿勢を算出する。着座センサ１６０から送られてきた位置検出信号ＰＯＤが「運転席」のみであり、ドライブ処理部２１０から送られてくるコンテンツ種別情報ＣＴＩが「複合コンテンツ」であることから、聴取姿勢は、搭乗者が運転席から表示デバイス１４１を見るＤ１方向を向く姿勢であると求められる（図１６参照）。こうして聴取位置算出部２２６により算出された聴取姿勢、及び、着座センサ１６０から位置検出信号ＰＯＤにより定まる聴取位置は、位置姿勢情報ＰＤＤとして、音像方向算出部２２７へ向けて送られる。
【００６９】
音像方向算出部２２７は、聴取姿勢算出部２２６から送られてきた位置姿勢情報ＰＤＤから、５．１チャンネルサラウンド方式におけるＩＴＵ規格に基づいた理想的なスピーカ配置の方向（音源方向）を算出する。すなわち、音像方向算出部２２７は、図１６に示されるように、聴取位置「運転席」と聴取姿勢「Ｄ１方向」から、Ｌチャンネルに関する理想的音源方向ＤL、ＳＬチャンネルに関する理想的音源方向ＤSL、Ｒチャンネルに関する理想的音源方向ＤR、ＳＲチャンネルに関する理想的音源方向ＤSRをそれぞれ算出する。この音像方向算出部２２７による算出結果である音像方向情報ＡＤＤは、音声出力スピーカ決定部２２８へ向けて送られる。
【００７０】
音像方向算出部２２７から音像方向情報ＡＤＤを受け取った音声出力スピーカ決定部２２８は、音像方向情報ＡＤＤをもとにして、車両ＣＲに搭載されたスピーカ１３０C〜１３０SWの中から、音声出力を行うべき音声出力スピーカを決定する。すなわち、音声出力スピーカ決定部２２８は、図１６に示されるように、ＩＴＵ規格に基づいた理想的な音源方向を考慮して、Ｃチャンネルについてはセンタスピーカ１３０Cを、Ｌチャンネルについてはレフトスピーカ１３０L1と補助レフトスピーカ１３０L3を、ＳＬチャンネルについてはサラウンドレフトスピーカ１３０SL1と補助サラウンドレフトスピーカ１３０SL2を、音声出力スピーカとして決定する。また、音声出力スピーカ決定部２２８は、Ｒチャンネルについてはライトスピーカ１３０R1と補助ライトスピーカ１３０R2を、ＳＲチャンネルについてはサラウンドライトスピーカ１３０SR1を、ＬＦＥチャンネルについてはサブウーハスピーカ１３０SWを、音声出力スピーカとして決定する。
【００７１】
なお、補助レフトスピーカ１３０L2、補助ライトスピーカ１３０R3、補助サラウンドライトスピーカ１３０SR2については、理想的なスピーカ配置とは大きく異なるため、音声出力を行わない。
【００７２】
この音声出力スピーカ決定部２２８による出力スピーカ決定結果、聴取位置及び聴取方向は、決定情報ＳＰＤとして、オーディオ制御部２２５へ向けて送られる。
【００７３】
このようにして、利用者により再生コンテンツが指定され、コンテンツ再生指令がなされると、出力スピーカ選択部２２４において、位置検出信号ＰＯＤが「運転席」、コンテンツ種別情報ＣＴＩが「複合コンテンツ」のときの音声出力スピーカが決定される。
【００７４】
《オーディオ制御部２２５における動作》
また、操作入力ユニット１５０を利用して、利用者により、コンテンツ再生指令がなされると、ドライブユニット１２０からの読取データ信号ＲＤＤが、ドライブ処理部２１０における処理によって、音声データ信号ＡＤＤと、映像データ信号ＩＤＤに分離される。そして、音声データ信号ＡＤＤは音声処理部２２０へ向けて送られ、映像データ信号ＩＤＤは映像処理部２３０へ向けて送られる。
【００７５】
かかる状態において、オーディオ制御部２２５は、出力スピーカ選択部２２４（より詳しくは、音声出力スピーカ決定部２２８）から上述した決定情報ＳＰＤを受け取ると、この決定情報ＳＰＤをもとにして、音声処理部２２０における音声コンテンツの再生処理を制御する。
【００７６】
ドライブ処理部２１０から出力された音声データ信号ＡＤＤは、まず、音声処理部２２０のチャンネル処理部２２１に送られる。このチャンネル処理部２２１は、オーディオ制御部２２５からのチャンネル処理制御指令ＣＰＣに従って、音声コンテンツの再生処理を行う。このチャンネル処理部２２１は、上述のように、チャンネル分離部３１０と、信号分配部３２０と、信号遅延部３２０とを備えている（図９参照）。
【００７７】
チャンネル処理部３１０では、チャンネル分離部３１０が、オーディオ制御部２２５からのチャンネル処理制御指令ＣＰＣの一部であるチャンネル分離制御指令ＣＳＣに従って、音声データ信号ＡＤＤから５．１チャンネルサラウンド方式におけるＣ〜ＬＦＥチャンネルに対応する６個の分離チャンネルデータ信号ＳＣＤC，ＳＣＤL，ＳＣＤSL，ＳＣＤR，ＳＣＤSR，ＳＣＤLFEを生成する。これらのデータ信号は、信号分配部３２０へ向けて出力される。
【００７８】
信号分配部３２０は、オーディオ制御部２２５からのチャンネル処理制御指令ＣＰＣの一部である分配制御指令ＡＣＣに従って、６個の分離チャンネルデータ信号ＳＣＤC〜ＳＣＤLFEに基づいて、スピーカ１３０C〜１３０SWの数と同じである１２個の分配チャンネルデータ信号ＡＣＤC〜ＡＣＤLFEを生成する。この分配制御指令ＡＣＣは、出力スピーカ選択部２２４からの決定情報ＳＰＤにおける出力スピーカ決定結果に基づいて生成される。
【００７９】
すなわち、決定情報ＳＰＤにおける出力スピーカ決定結果に基づいて、分離チャンネルデータ信号ＳＣＤLからは分配チャンネルデータ信号ＡＣＤL1とＡＣＤL3を生成し、分離チャンネルデータ信号ＳＣＤSLからは分配チャンネルデータ信号ＡＣＤSL1とＡＣＤSL2を生成する旨の分配制御指令ＡＣＣLが生成される。また、分離チャンネルデータ信号ＳＣＤRからは分配チャンネルデータ信号ＡＣＤR1とＡＣＤR2を生成し、分離チャンネルデータ信号ＳＣＤSRからは分配チャンネルデータ信号ＡＣＤSR1を生成する旨の分配制御指令ＡＣＣRが生成される。
【００８０】
なお、Ｃチャンネルに関する分離チャンネルデータ信号ＳＣＤCと、ＬＦＥチャンネルに関する分離チャンネルデータ信号ＳＣＤLFEについては、上述したように、信号分配部３２０で処理は行わないため、ＳＣＤCとＳＣＤLFEに対する分配制御指令は生成されない。
【００８１】
こうして生成された分配制御指令ＡＣＣにより、９個の分配チャンネルデータ信号ＡＣＤC，ＡＣＤL1，ＡＣＤL3，ＡＣＤSL1，ＡＣＤSL2，ＡＣＤR1，ＡＣＤR2，ＡＣＤSR1，ＡＣＤLFEが信号分配部３２０において生成される。これらのデータ信号は、信号遅延部３３０へ向けて出力される。
【００８２】
信号遅延部３３０は、オーディオ制御部２２５からのチャンネル処理制御指令ＣＰＣの一部である遅延制御指令ＤＬＣに従って、信号分配部３２０から送られてきた上記の分配チャンネルデータ信号を、所定時間だけ遅延させて、チャンネルデータ信号ＰＣＤC，ＰＣＤL1，ＰＣＤL3，ＰＣＤSL1，ＰＣＤSL2，ＰＣＤR1，ＰＣＤR2，ＰＣＤSR1，ＰＣＤLFEを生成する。この遅延制御指令ＤＬＣは、出力スピーカ選択部２２４からの決定情報ＳＰＤにおける聴取位置に基づいて生成される。
【００８３】
すなわち、遅延制御指令ＤＬＣは、１２個のＤＬＣC〜ＤＬＣLFEからなるが、聴取位置が「運転席」、コンテンツ種別が「複合コンテンツ」のときに処理すべき分配チャンネルデータ信号にのみ、遅延時間を付与する制御を行うようになっている。そして、遅延時間を付与するときは、各信号に付与する遅延時間を、オーディオ制御部２２５の記憶部から読み出して遅延器に設定するとともに、設定した遅延期間だけ、分配チャンネルデータ信号を遅延させる。これらの遅延させたデータ信号は、アナログ変換部２２２へ向けて出力される。
【００８４】
アナログ変換部２２２は、信号遅延部３３０から送られてきたチャンネルデータ信号ＰＣＤC，ＰＣＤL1，ＰＣＤL3，ＰＣＤSL1，ＰＣＤSL2，ＰＣＤR1，ＰＣＤR2，ＰＣＤSR1，ＰＣＤLFEを、それぞれアナログ信号に変換する。アナログ変換結果であるアナログ信号ＰＢＳC，ＰＢＳL1，ＰＢＳL3，ＰＢＳSL1，ＰＢＳSL2，ＰＢＳR1，ＰＢＳR2，ＰＢＳSR1，ＰＢＳLFEは、音量調整部２２３へ向けて出力される。
【００８５】
音量調整部２２３は、オーディオ制御部２２５からの音量調整制御ＶＬＣに従って、アナログ変換部２２２から送られてきた上記のアナログ信号の音量を調整する。この音量調整制御指令ＶＬＣは、出力スピーカ選択部２２４からの決定情報ＳＰＤにおける聴取位置及び聴取姿勢に基づいて生成される。
【００８６】
すなわち、音量調整制御指令ＶＬＣは、１２個のＶＬＣC〜ＶＬＣLFEからなるが、聴取位置が「運転席」、コンテンツ種別が「複合コンテンツ」のときに処理すべきアナログ信号にのみ、音量調整制御を行うようになっている。そして、音量調整を行うときは、各信号の音量調整比率を、オーディオ制御部２２５の記憶部から読み出して調整する。この調整の結果である出力音声信号ＡＯＳC，ＡＯＳL1，ＡＯＳL3，ＡＯＳSL1，ＡＯＳSL2，ＡＯＳR1，ＡＯＳR2，ＡＯＳSR1，ＡＯＳLFEは、それぞれに対応するスピーカへ向けて出力される。
【００８７】
音量調整部２２３から送られてきた上記の出力音声信号は、それぞれ、センタスピーカ１３０C，レフトスピーカ１３０L1，補助レフトスピーカ１３０L3，サラウンドレフトスピーカ１３０SL1，補助サラウンドレフトスピーカ１３０SL2，ライトスピーカ１３０R1，補助ライトスピーカ１３０R2，サラウンドライトスピーカ１３０SR1，サブウーハスピーカ１３０SWから、音場空間ＡＳＰへ向けて出力される。
【００８８】
なお、聴取位置が「助手席」、コンテンツ種別が「複合コンテンツ」のときは、図１７に示されるように、出力スピーカ選択部２２４は、音声出力スピーカとして、Ｃチャンネルについてはセンタスピーカ１３０Cを、Ｌチャンネルについてはレフトスピーカ１３０L1と補助レフトスピーカ１３０L2を、ＳＬチャンネルについてはサラウンドレフトスピーカ１３０SL1を、Ｒチャンネルについてはライトスピーカ１３０R1と補助ライトスピーカ１３０R3を、ＳＲチャンネルについてはサラウンドライトスピーカ１３０SR1と補助サラウンドライトスピーカ１３０SR2を、ＬＦＥチャンネルについてはサブウーハスピーカ１３０SWを選択する。そして、オーディオ制御部２２５における処理は、前述した聴取位置が「運転席」のときと同様の動作を行う。
【００８９】
また、聴取位置が「運転席」、コンテンツ種別が「音声コンテンツ」のときは、図１８に示されるように、出力スピーカ選択部２２４は、音声出力スピーカとして、Ｃチャンネルについてはセンタスピーカ１３０Cを、Ｌチャンネルについてはレフトスピーカ１３０L1と補助レフトスピーカ１３０L2を、ＳＬチャンネルについてはサラウンドレフトスピーカ１３０SL1と補助サラウンドレフトスピーカ１３０SL2を、Ｒチャンネルについてはライトスピーカ１３０R1と補助ライトスピーカ１３０R2を、ＳＲチャンネルについてはサラウンドライトスピーカ１３０SR1を、ＬＦＥチャンネルについてはサブウーハスピーカ１３０SWを選択する。そして、オーディオ制御部２２５における処理は、前述したのと同様の動作を行う。
【００９０】
また、聴取位置が「助手席」、コンテンツ種別が「音声コンテンツ」のときは、図１９に示されるように、出力スピーカ選択部２２４は、音声出力スピーカとして、Ｃチャンネルについてはセンタスピーカ１３０Cを、Ｌチャンネルについてはレフトスピーカ１３０L1と補助レフトスピーカ１３０L2を、ＳＬチャンネルについてはサラウンドレフトスピーカ１３０SL1を、Ｒチャンネルについてはライトスピーカ１３０R1と補助ライトスピーカ１３０R2を、ＳＲチャンネルについてはサラウンドライトスピーカ１３０SR1と補助サラウンドライトスピーカ１３０SR2を、ＬＦＥチャンネルについてはサブウーハスピーカ１３０SWを選択する。そして、オーディオ制御部２２５における処理は、前述したのと同様の動作を行う。
【００９１】
また、聴取位置が「後部座席」、または、「運転席」や「助手席」であっても複数である場合は、上記の処理動作は行わず、一般的なスピーカ配置であるセンタスピーカ１３０C、レフトスピーカ１３０L1、サラウンドレフトスピーカ１３０SL1、サラウンドライトスピーカ１３０SR1、サブウーハスピーカ１３０SWから、音声出力を行う。
【００９２】
以上説明したように、本実施形態では、車両における一般的なスピーカ配置と比較して、６個のスピーカを増設した。そして、そのうち２個のスピーカは直接的に運転席を向き、別の２個のスピーカは直接的に助手席を向いている。この新たなスピーカ配置により、ＩＴＵ規格におけるスピーカ配置に近づけることができる。また、聴取位置及び聴取姿勢に応じて各スピーカから出力する音声チャンネルを切り換えることができる。したがって、本実施形態によれば、高品位な音声を再生することができる。
【００９３】
［実施形態の変形］
本発明は、上記の実施形態に限定されるものではなく、様々な変形が可能である。
【００９４】
例えば、上記の実施形態では、１２個のスピーカを備えることがしたが、各チャンネルに対応する音を適宜混合し、１１個以下又は１３個以上のスピーカから音出力をさせるようにすることもできる。
【００９５】
また、上記の実施形態では、スピーカ１３０C〜１３０SWの配置位置は、車両ＣＲのダッシュボード内、ドア筐体内、後部の筐体内、後部としたが、スピーカ１３０C〜１３０SWの配置位置はこれらに限定されるものではなく、例えば車両のピラー位置等といった車両等のいかなる位置であってもよい。
【００９６】
また、上記の実施形態では、車両内空間の中心から見て、左側の各スピーカがＬチャンネルとＳＬチャンネルの音声を出力し、右側の各スピーカがＲチャンネルとＳＲチャンネルの音声を出力することとした。これに対して、聴取者が後方を向いていること等も考慮し、左側のスピーカからＲチャンネルやＳＲチャンネルの音声を出力させ、右側のスピーカからＬチャンネルやＳＬチャンネルの音声を出力させるなど、任意のスピーカから任意のチャンネル音声を出力させるものであってもよい。
【００９７】
また、上記の実施形態では、着座センサ１６０からの位置検出信号ＰＯＤに基づいて、聴取位置を決定していたが、操作入力ユニット１５０から聴取位置を決定することもできる。
【００９８】
また、上記の実施形態では、５．１チャンネルサラウンド方式について例示したが、６．１チャンネルサラウンド方式等の他の方式を採用することもできる。
【００９９】
また、車両に搭載され、コンテンツ再生装置としても機能するナビゲーション装置等が、本実施形態のコンテンツ再生装置１００の機能を有するようにしてもよい。
【０１００】
また、上記の実施形態では、コンテンツメディアＣＭＤに格納されたコンテンツデータを再生するコンテンツ再生装置に本発明を適用したが、地上デジタルテレビ放送等の放送波の受信装置等に本発明を適用することもできる。
【０１０１】
また、上記の実施形態では、マルチチャンネル方式で記録されているコンテンツデータを再生するコンテンツ再生装置に本発明を適用したが、例えばコンテンツデータが２チャンネル構成を有する場合や放送受信結果が２チャンネル構成を有する場合等の音声信号がマルチチャンネル構成以外の構成を有する場合に、２チャンネル構成から例えば５．１チャンネル等のマルチチャンネル構成に変換して利用者に提供する装置に本発明を適用することもできる。
【０１０２】
また、上記の実施形態においては、車両に搭載されるコンテンツ再生装置に本発明を適用したが、車両以外の他の移動体に搭載される音響再生機能を有する装置に本発明を適用することもできるし、移動体に搭載されない音響再生機能を有する装置に本発明を適用することもできる。
【０１０３】
なお、上記の実施形態における制御ユニット１１０の一部又は全部を中央処理装置（ＣＰＵ：Central Processing Unit）、ＤＳＰ（Digital Signal Processor）、読出専用メモリ（ＲＯＭ：Read Only Memory）、ランダムアクセスメモリ（ＲＡＭ：Random Access Memory）等を備えた演算手段としてのコンピュータとして構成し、予め用意されたプログラムを当該コンピュータで実行することにより、上記の実施形態における処理の一部又は全部を実行するようにしてもよい。このプログラムはハードディスク、ＣＤ−ＲＯＭ、ＤＶＤ等のコンピュータで読み取り可能な記録媒体に記録され、当該コンピュータによって記録媒体から読み出されて実行される。また、このプログラムは、ＣＤ−ＲＯＭ、ＤＶＤ等の可搬型記録媒体に記録された形態で取得されるようにしてもよいし、インターネットなどのネットワークを介した配送の形態で取得されるようにしてもよい。
【図面の簡単な説明】
【０１０４】
【図１】車両内における一般的なスピーカ配置を説明するための図である。
【図２】ＩＴＵ−Ｒ勧告によるスピーカ配置を説明するための図である。
【図３】本発明の一実施形態に係るコンテンツ再生装置の構成を概略的に示すブロック図である。
【図４】図３の１２個のスピーカの配置位置を説明するための図である。
【図５】図３の制御ユニットの構成を示すブロック図である。
【図６】図５の音声処理部の構成を示すブロック図である。
【図７】図６の出力スピーカ選択部の構成を示すブロック図である。
【図８】聴取位置及び聴取姿勢を説明するための図である。
【図９】図６のチャンネル処理部の構成を示すブロック図である。
【図１０】図９の信号分配部の構成を示すブロック図である。
【図１１】図１０のレフトサイド分配部の構成を示すブロック図である。
【図１２】図１１の複合スイッチ部の構成を示すブロック図である。
【図１３】図１０のライトサイド分配部の構成を示すブロック図である。
【図１４】図１３の複合スイッチ部の構成を示すブロック図である。
【図１５】図９の信号遅延部の構成を示すブロック図である。
【図１６】聴取位置が運転席であり、聴取姿勢がモニタを見る方向である場合の音声出力スピーカの配置を説明するための図である。
【図１７】聴取位置が助手席であり、聴取姿勢がモニタを見る方向である場合の音声出力スピーカの配置を説明するための図である。
【図１８】聴取位置が運転席であり、聴取姿勢が正面を見る方向である場合の音声出力スピーカの配置を説明するための図である。
【図１９】聴取位置が助手席であり、聴取姿勢が正面を見る方向である場合の音声出力スピーカの配置を説明するための図である。
【符号の説明】
【０１０５】
１００            …  コンテンツ再生装置
１３０C〜１３０SW …  スピーカ
１４０            …  表示ユニット（表示手段）
１５０            …  操作入力ユニット（操作入力手段）
１６０            …  着座センサ（検出手段）
２２３            …  音量調整部（音量調整手段）
２２６            …  聴取姿勢算出部（推定算出手段）
２２７            …  音像方向算出部（方向算出手段）
２２８            …  音声出力スピーカ決定部（決定手段）
３１０            …  チャンネル分離部（個別チャンネル信号生成手段）
３３０            …  信号遅延部（遅延調整手段）
【図１】
2008227942.tif 000003
【図２】
2008227942.tif 000004
【図３】
2008227942.tif 000005
【図４】
2008227942.tif 000006
【図５】
2008227942.tif 000007
【図６】
2008227942.tif 000008
【図７】
2008227942.tif 000009
【図８】
2008227942.tif 000010
【図９】
2008227942.tif 000011
【図１０】
2008227942.tif 000012
【図１１】
2008227942.tif 000013
【図１２】
2008227942.tif 000014
【図１３】
2008227942.tif 000015
【図１４】
2008227942.tif 000016
【図１５】
2008227942.tif 000017
【図１６】
2008227942.tif 000018
【図１７】
2008227942.tif 000019
【図１８】
2008227942.tif 000020
【図１９】
2008227942.tif 000021